(57)【要約】      （修正有）【課題】便利な調整構造をもち、部材の簡素化ができる調整装置を提供する。【解決手段】第１ベース１１０と、第２ベースと、枢軸と、調整ユニット１４０と、第１ケーブル１５０とを備える調整装置１００である。第２ベースは、第１ベースの下に配置される。枢軸は、第１ベースと第２ベースを枢接する。調整ユニットは、第１調整ベース１４２と、第１調整ロッド１４４とを備える。第１調整ベースは、第１ベースに軸線に平行に往復移動可能に配置される。第１調整ロッドは、第１ベース及び第１調整ベースを貫通する。第１ケーブルは、第２ベースに固着される第１端部を有する、第１調整ベースにより挟持される第１セクション及び第２セクションを備える。第１調整ロッドが回転すると、第１セクション又は第２セクションの第１端部が引っ張られ、第２ベースが第１ベースに対して第１軸線Ｘ１に沿って回転するように、第１調整ベースは第１ベースに対して移動される。【選択図】図１
0003196054.tif 000002
【実用新案登録請求の範囲】
【請求項１】
第１オブジェクトを固着するための第１ベースと、
前記第１ベースの下に配置され、第２オブジェクトを組み立てるための第２ベースと、
前記第１ベースと前記第２ベースを枢接し、第１軸線に平行する枢軸と、
前記第１ベースに第２軸線に平行に往復移動可能に配置される第１調整ベース、及び前記第１ベースに前記第２軸線に平行して回転可能に設けられ、前記第１調整ベースが外嵌される第１調整ロッドを有する調整ユニットと、
前記第２ベースに固着される第１端部をそれぞれ有し、前記第１調整ベースにより挟持される第１セクション及び第２セクションを有する第１ケーブルと、
を備える調整装置であって、
前記第１調整ロッドが回転すると、前記第１セクションの前記第１端部又は前記第２セクションの前記第１端部が引っ張られるとともに、前記第２ベースが第１ベースに対して前記第１軸線に沿って回転するように、前記第１調整ベースは前記第２軸線において前記第１ベースに対して移動される調整装置。
【請求項２】
前記第１調整ベースは、第１凹部を有し、前記第１ケーブルは、第１凸部をさらに有し、前記第１凸部は、前記第１セクションと前記第２セクションを接続し、前記第１凹部内に収容される請求項１に記載の調整装置。
【請求項３】
前記第１調整ロッドは、第１ネジ山を有し、前記第１調整ベースは、第１ネジ穴を有し、前記第１ネジ山は、前記第１ネジ穴に噛み合い、前記第１調整ロッドの回転時に、前記第１調整ロッドと前記第１ベースは相対的に移動しない請求項１に記載の調整装置。
【請求項４】
前記第２ベースは、前記第１セクションの前記第１端部及び前記第２セクションの前記第１端部に対応する２つの屈曲板を有し、前記各屈曲板は、位置限定スロットを有し、前記第１セクションの前記第１端部及び前記第２セクションの前記第１端部は、それぞれ、対応する前記位置限定スロットに嵌め込まれる突出部を有する請求項１に記載の調整装置。
【請求項５】
前記第２ベースに固着され、前記第１ベースに枢接されるように前記枢軸により貫通される枢転ベースと、前記枢転ベースの対向する両側に固着される第２端部をそれぞれ有する第３セクション及び第４セクションを有する第２ケーブルとをさらに備え、前記調整ユニットは、前記第１ベースに前記第２軸線に平行に往復移動可能に配置され、前記第３セクション及び前記第４セクションを挟持する第２調整ベースと、前記第１軸線又は前記第２軸線に対して直交する第３軸線に沿って配列され、前記第１ベースに回転可能に設けられ、前記第２調整ベースが外嵌される第２調整ロッドとをさらに備え、前記第２調整ロッドが回転すると、前記第３セクションの前記第２端部又は前記第４セクションの前記第２端部が引っ張られるとともに、前記枢転ベース及び前記第２ベースが第１ベースに対して前記第２軸線に沿って回転するように、前記第２調整ベースは前記第２軸線において前記第１ベースに対して移動される請求項１に記載の調整装置。
【請求項６】
前記第２調整ベースは、第２凹部を有し、前記第２ケーブルは、第２凸部をさらに有し、前記第２凸部は、前記第３セクションと前記第４セクションを接続し、前記第２凹部内に収容される請求項５に記載の調整装置。
【請求項７】
前記第２調整ロッドは、第２ネジ山を有し、前記第２調整ベースは、第２ネジ穴を有し、前記第２ネジ山は、前記第２ネジ穴に噛み合い、前記第２調整ロッドの回転時に、前記第２調整ロッドと前記第１ベースは相対的に移動しない請求項５に記載の調整装置。
【請求項８】
前記枢転ベースの別の対向する両側に固着される第３端部をそれぞれ有する第５セクション及び第６セクションを有する第３ケーブルをさらに備え、前記調整ユニットは、前記第１ベースに前記第２軸線に平行に往復移動可能に配置され、前記第５セクション及び前記第６セクションを挟持する第３調整ベースと、前記第１調整ロッドとともに前記第２調整ロッドの両側に位置し、前記第１ベースに回転可能に設けられ、前記第３調整ベースが外嵌される第３調整ロッドとをさらに備え、前記第３調整ロッドが回転すると、前記第５セクションの前記第３端部又は前記第６セクションの前記第３端部が引っ張られるとともに、前記枢転ベース及び前記第２ベースが前記第１ベースに対して前記第３軸線に沿って回転するように、前記第３調整ベースは前記第２軸線において前記第１ベースに対して移動される請求項５に記載の調整装置。
【請求項９】
前記第３調整ベースは、第３凹部を有し、前記第３ケーブルは、第３凸部をさらに有し、前記第３凸部は、前記第５セクションと前記第６セクションを接続し、前記第３凹部内に収容される請求項８に記載の調整装置。
【請求項１０】
前記第３調整ロッドは、第３ネジ山を有し、前記第３調整ベースは、第３ネジ穴を有し、前記第３ネジ山は、前記第３ネジ穴に噛み合い、前記第３調整ロッドの回転時に、前記第３調整ロッドと前記第１ベースは相対的に移動しない請求項８に記載の調整装置。
【請求項１１】
前記枢転ベースは、前記枢転ベースの周囲に配置される少なくとも１つの案内柱を有し、前記第１ベースは、前記少なくとも１つの案内柱に対応して貫通穴を有し、前記枢転ベースが前記第１ベースに対して回転すると、前記少なくとも１つの案内柱は、前記貫通穴内に摺動される請求項５に記載の調整装置。
【請求項１２】
前記少なくとも１つの案内柱は、溝切りを有し、前記少なくとも１つの案内柱は、前記貫通穴内に摺動されると、前記溝切りにより一部変形されて、前記貫通穴内に押し当てられる請求項１１に記載の調整装置。
【請求項１３】
前記第１ベースは、前記枢転ベースに向かう第１枢接部を有し、前記枢転ベースは、前記第１枢接部に対応する第２枢接部を有し、前記第１枢接部及び前記第２枢接部は、それぞれ、第１枢接面及び第２枢接面を有し、前記第１枢接面は、前記第２枢接面と回転可能となるように接続され、前記第１枢接面の形状と前記第２枢接面の形状は相補的である請求項５に記載の調整装置。
【請求項１４】
前記第１枢接面及び前記第２枢接面は、それぞれ半球面である請求項１３に記載の調整装置。
【請求項１５】
前記枢転ベースとの間に前記第１ベースが挟持されるように前記枢軸により貫通される押し当て部材をさらに備える請求項１３に記載の調整装置。
【請求項１６】
前記押し当て部材は、前記第１ベースに向かう第３枢接部を有し、前記第３枢接部は、第３枢接面を有し、前記第１枢接部は、前記第１枢接面に対向する第４枢接面をさらに有し、前記第３枢接面は、前記第４枢接面と回転可能となるように接続され、前記第３枢接面の形状と前記第４枢接面の形状は相補的である請求項１５に記載の調整装置。
【請求項１７】
前記第３枢接面及び前記第４枢接面は、それぞれ半球面である請求項１６に記載の調整装置。
【請求項１８】
前記第３枢接部と前記第１枢接部とは、部分的に接触することになる請求項１６に記載の調整装置。
【考案の詳細な説明】
【技術分野】
【０００１】
本考案は、調整装置に関し、特に、角度を調整することができる調整装置に関する。
【背景技術】
【０００２】
一般的に、会議室や視聴室などの投影機を常備している場所には、室内の空間設計上の原因で、通常投影機が天井より吊り下げられている。投影機のレンズを投影スクリーンに正対し、かつ、投影された画面を等比率ではっきり投影スクリーンに表示可能にするために、通常、投影機を吊る調整装置は、投影された画面が調整できるように、投影機を回転や傾かせることができるようになっている。
【０００３】
投影機を調整する目的を達成するために、上記調整装置には、通常、調整機構が設置される。ユーザは、調整機構を操作することにより、投影スクリーンに対する投影機の異なる軸線における角度を制御する。さらに、上記調整機構には、投影機が各軸線に沿って両方向に回転できるように、ケーブル及び駆動装置が複数設けられている。
【０００４】
中華人民共和国実用新案公告第２０２７５６８５８号明細書には、ネジスリーブにそれぞれ螺合される１段の左ネジ山及び１段の右ネジ山を有する回転軸と、それぞれが対応するネジスリーブに接続されて回転軸に装着される２つの牽引線とをそれぞれ備える３つの調節装置により、３軸方向に回転できるプロジェクター調節座枠が開示されている。回転軸が正転又は逆転されると、プロジェクターが各軸方向で両方向に回転するように、２つの牽引線が緩められ又はぴんと張られるようになる。しかし、牽引線が多すぎることで、装置全体の構造が複雑化して操作の不安定になるおそれがあり、また、部品が多すぎることにより、製造コストを向上させることにもなる。
【考案の概要】
【考案が解決しようとする課題】
【０００５】
本考案は、便利な調整構造をもち、部材の簡素化という設計要求に適うことができる調整装置を提供する。
【課題を解決するための手段】
【０００６】
本考案に係る調整装置は、第１ベースと、第２ベースと、枢軸と、調整ユニットと、第１ケーブルとを備える。第１ベースは、第１オブジェクトを固着するためのものである。第２ベースは、第１ベースの下に配置され、第２オブジェクトを組み立てるためのものである。枢軸は、第１ベースと第２ベースを枢接し、第１軸線に平行する。調整ユニットは、第１調整ベースと、第１調整ロッドとを備える。第１調整ベースは、第１ベースに設置され、第２軸線に平行に往復移動可能に配置される。第１調整ロッドは、第１ベースに第２軸線に平行して回転可能に設けられる。第１調整ベースは、第１調整ロッドに外嵌される。第１ケーブルは、第２ベースに固着される第１端部をそれぞれ有する、第１調整ベースにより挟持される第１セクション及び第２セクションを備える。第１調整ロッドが回転すると、第１調整ベースは、第１セクションの第１端部又は第２セクションの第１端部が引っ張られるとともに、第２ベースが第１ベースに対して第１軸線に沿って回転するように、第１ベースに対して移動される。
【０００７】
本考案の一実施形態において、上記第１調整ベースは第１凹部を有し、第１ケーブルは第１凸部を有する。第１凸部は第１セクションと第２セクションとを接続し、第１凹部内に収容される。
【０００８】
本考案の一実施形態において、上記第１調整ロッドは第１ネジ山を有し、第１調整ベースは第１ネジ穴を有する。第１ネジ山は第１ネジ穴に噛み合う。第１調整ロッドの回転時に、第１調整ロッドと第１ベースは相対的に移動しない。
【０００９】
本考案の一実施形態において、上記第２ベースは、第１セクションの第１端部及び第２セクションの第１端部に対応する２つの屈曲板を有する。各屈曲板は、位置限定スロットを有する。第１セクションの第１端部及び第２セクションの第１端部は、それぞれ、対応する位置限定スロットに嵌め込まれる突出部を有する。
【００１０】
本考案の一実施形態において、調整装置は、枢転ベースと、第２ケーブルとをさらに備える。枢転ベースは、第２ベースに固着され、また、第１ベースに枢接されるように枢軸により貫通される。第２ケーブルは、枢転ベースの対向する両側に固着される第２端部をそれぞれ有する第３セクション及び第４セクションを備える。調整ユニットは、第２調整ベースと、第２調整ロッドとをさらに備える。第２調整ベースは、第１ベースに第２軸線に平行に往復移動可能に配置され、第３セクション及び第４セクションを挟持する。第２調整ロッドは、第１軸線又は第２軸線に対して直交する第３軸線に沿って配列される。第２調整ロッドは、第１ベースに回転可能に設けられ、第２調整ベースは、第２調整ロッドに外嵌される。第２調整ロッドが回転すると、第３セクションの第２端部又は第４セクションの第２端部が引っ張られるとともに、枢転ベース及び第２ベースが第１ベースに対して第２軸線に沿って回転するように、第２調整ベースは第２軸線において第１ベースに対して移動される。
【００１１】
本考案の一実施形態において、上記第２調整ベースは、第２凹部を有し、第２ケーブルは、第２凸部をさらに有する。第２凸部は、第３セクションと第４セクションを接続し、第２凹部内に収容される。
【００１２】
本考案の一実施形態において、上記第２調整ロッドは第２ネジ山を有し、第２調整ベースは第２ネジ穴を有する。第２ネジ山は第２ネジ穴に噛み合う。第２調整ロッドの回転時に、第２調整ロッドと第１ベースは相対的に移動しない。
【００１３】
本考案の一実施形態において、調整装置は、第５セクション及び第６セクションを有する第３ケーブルをさらに備える。第５セクション及び第６セクションは、枢転ベースの別の対向する両側に固着される第３端部をそれぞれ有する。調整ユニットは、第３調整ベースと、第３調整ロッドとをさらに備える。第３調整ベースは、第１ベースに第２軸線に平行に往復移動可能に配置され、第５セクション及び第６セクションを挟持する。第３調整ロッドは、第１ベース及び第３調整ベースを貫通し、第１調整ロッド及び第３調整ロッドは、第２調整ロッドの両側に位置し、第３調整ロッドは、第１ベースに回転可能に設けられ、第３調整ベースは、第３調整ロッドに外嵌される。第３調整ロッドが回転すると、第５セクションの第３端部又は第６セクションの第３端部が引っ張られるとともに、枢転ベース及び第２ベースが第１ベースに対して第３軸線に沿って回転するように、第３調整ベースは第２軸線において第１ベースに対して移動される。
【００１４】
本考案の一実施形態において、上記第３調整ベースは第３凹部を有し、第３ケーブルは第３凸部をさらに有する。第３凸部は、第５セクションと第６セクションを接続し、第３凹部内に収容される。
【００１５】
本考案の一実施形態において、上記第３調整ロッドは第３ネジ山を有し、第３調整ベースは第３ネジ穴を有する。第３ネジ山は第３ネジ穴に噛み合う。第３調整ロッドの回転時に、第３調整ロッドと第１ベースは相対的に移動しない。
【００１６】
本考案の一実施形態において、上記枢転ベースは、枢転ベースの周囲に配置される複数の案内柱を有する。第１ベースは、これらの案内柱に対応して複数の貫通穴を有する。枢転ベースが第１ベースに対して回転すると、案内柱は、貫通穴内に摺動される。さらに、各案内柱は、溝切りを有する。各案内柱は、対応する貫通穴内に摺動されると、対応する溝切りにより一部変形されて、対応する貫通穴内に押し当てられる。
【００１７】
本考案の一実施形態において、上記第１ベースは、枢転ベースに向かう第１枢接部を有し、枢転ベースは、第１枢接部に対応する第２枢接部を有する。第１枢接部及び第２枢接部は、それぞれ、第１枢接面及び第２枢接面を有する。第１枢接面は、第２枢接面と回転可能となるように接続され、第１枢接面の形状と第２枢接面の形状は、それぞれ半球面であり、相補的となっている。
【００１８】
本考案の一実施形態において、上記第１枢接面及び第２枢接面は、それぞれ半球面である。
【００１９】
本考案の一実施形態において、調整装置は、枢転ベースとの間に第１ベースが挟持されるように枢軸により貫通される押し当て部材をさらに備える。
【００２０】
本考案の一実施形態において、上記押し当て部材は、第１ベースに向かう第３枢接部を有し、第３枢接部は第３枢接面を有する。第１枢接部は、第１枢接面に対向する第４枢接面をさらに有する。第３枢接面は、第４枢接面と回転可能となるように接続され、第３枢接面の形状と第４枢接面の形状は相補的である。
【００２１】
本考案の一実施形態において、上記第３枢接面及び第４枢接面は、それぞれ半球面である。
【００２２】
本考案の一実施形態において、上記第３枢接部と第１枢接部とは、部分的に接触することになる。
【００２３】
上述したように、本考案に係る調整装置において、第１調整ベースは、第１ケーブルの第１セクション及び第２セクションを挟持し、また、第１セクション又は第２セクションが引っ張られるとともに第２ベースを第１ベースに対して回転させることにより、第２オブジェクトを、第１オブジェクトに対して回転するように動かすことができる。これにより、調整装置は、複雑な構造を配置する必要がなく、調整装置の故障率を低減することができる。さらに、調整装置の構造が簡単であるため、調整装置の部品数及びコストを減らすことが可能となる。
【００２４】
本考案の上述した特徴及び利点をさらに明らかにして分かりやすくするために、以下、特に実施形態を挙げ、添付図面に合わせて詳細に説明する。
【図面の簡単な説明】
【００２５】
【図１】本考案による一実施形態の調整装置に第１オブジェクト及び第２オブジェクトが接続されている模式図である。
【図２】図１の調整装置の立体分解図である。
【図３】図１の調整装置の別の立体分解図である。
【図４Ａ】図１の調整装置が第１軸線に沿って回転している模式図である。
【図４Ｂ】図４Ａの調整装置の底面図である。
【図５Ａ】図１の調整装置が第２軸線に沿って回転している模式図である。
【図５Ｂ】図５Ａの調整装置の正面図である。
【図５Ｃ】図５Ａの調整装置の線Ｉ１−Ｉ１に沿う断面図である。
【図６Ａ】図１の調整装置が第３軸線に沿って回転している模式図である。
【図６Ｂ】図６Ａの調整装置の右側面図である。
【図６Ｃ】図６Ａの調整装置の線Ｉ２−Ｉ２に沿う断面図である。
【考案を実施するための形態】
【００２６】
図１は、本考案による一実施形態の調整装置に第１オブジェクト及び第２オブジェクトが接続されている模式図である。図２は、図１の調整装置の立体分解図である。図３は、図１の調整装置の別の立体分解図である。図１、図２及び図３に示すように、本実施形態において、調整装置１００は、第１オブジェクト１０に固定され、第２オブジェクト２０を組み立てるためのものであり、第２オブジェクト２０は、調整装置１００により、第１オブジェクト１０に対して第１軸線Ｘ１、第２軸線Ｙ１又は第３軸線Ｚ１に沿って回転することができる。
【００２７】
まず、第１オブジェクト１０が第１軸線Ｘ１に沿って回転して相対的な位置を変更する原理について詳しく説明する。調整装置１００は、第１ベース１１０と、第２ベース１２０と、枢軸１３０と、調整ユニット１４０と、第１ケーブル１５０とを備える。さらに、本実施形態の第１オブジェクト１０は、例えば、天井（図示せず）にロックされた固定ブラケットであり、第１ベース１１０に固着されるが、第２オブジェクト２０は、例えば、投影機（図示せず）の装着用の円盤部材であり、ボルト（図示せず）により第２ベース１２０に組み立てられる。ここで説明しておくべきであるが、図面を簡潔化するために、図１における第１オブジェクト１０は、一部のみが示されている。
【００２８】
上述したように、第２ベース１２０は、第１ベース１１０の下に配置される。枢軸１３０は、第１ベース１１０と第２ベース１２０を枢接し、かつ、第１軸線Ｘ１に平行し、ナット（図示せず）により第２ベース１２０の底部に固定される。調整ユニット１４０は、第１調整ベース１４２と、第１調整ロッド１４４とを備える。第１調整ベース１４２は、第１ベース１１０に配置される。第１調整ロッド１４４は、第１軸線Ｘ１に対して直交する第２軸線Ｙ１に平行するとともに、第１ベース１１０及び第１調整ベース１４２を貫通するが、これに限らない。第１ケーブル１５０は、第２ベース１２０に固着される第１端部１５２ａ，１５４ａをそれぞれ有する、第１調整ベース１４２により挟持される第１セクション１５２及び第２セクション１５４を備える。
【００２９】
図４Ａは、図１の調整装置が第１軸線に沿って回転している模式図である。図４Ｂは、図４Ａの調整装置の底面図である。図１、図２、図４Ａ及び図４Ｂを参照して説明する。第１調整ロッド１４４が回転すると、第１ケーブル１５０の第２セクション１５４が引っ張られるとともに、第２セクション１５４の第１端部１５４ａにより、第２ベース１２０が第１ベース１１０に対して第１軸線Ｘ１に沿って回転方向Ｒ１で回転、駆動されるように、第１調整ベース１４２は第１ベース１１０に対して第２軸線Ｙ１とは反対方向に沿って移動される。従って、第２オブジェクト２０は、第１オブジェクト１０に対して第１軸線Ｘ１に沿って１つの方向で回転する。
【００３０】
一方、第１調整ロッド１４４により、調整ユニット１４０の第１調整ベース１４２が、第１ベース１１０に対して第２軸線Ｙ１に沿って移動されるように駆動される場合に、第１ケーブル１５０の第１セクション１５２が引っ張られるとともに、第１セクション１５２の第１端部１５２ａにより、第２ベース１２０が第１ベース１１０に対して第１軸線Ｘ１に沿って回転方向Ｒ１とは反対方向で回転するように駆動されることになる（図示せず）。従って、第２オブジェクト２０は、第１オブジェクト１０に対して第１軸線Ｘ１に沿って他方向で回転する。
【００３１】
さらに、図１、図２及び図４Ａに示すように、本実施形態における第１調整ベース１４２は第１凹部１４２ａを有し、第１ケーブル１５０は、適当な工程により作製される、第１セクション１５２と第２セクションの１５４を接続する第１凸部１５６をさらに有する。例えば、第１セクション１５２と第２セクション１５４との接続箇所に鍛造加工を施すことにより、上記接続箇所を変形して第１凸部１５６を形成する。第１ケーブル１５０の第１凸部１５６は、第１軸線Ｘ１に平行な方向で第１調整ベース１４２の第１凹部１４２ａに対して嵌ったり、外れたりすることができることにより、第１調整ベース１４２と第１ケーブル１５０との組み立てがしやすくなる。さらに、第１凸部１５６が第１凹部１４２ａ内に収容されていると、第２軸線Ｙ１に平行な方向にわたって第１凹部１４２ａにより位置限定係合されているので、第１ケーブル１５０が抜けてしまうリスクを低下させることができ、調整装置１００の依頼性を確保することが可能となる。
【００３２】
さらに、第２ベース１２０は、第１セクション１５２の第１端部１５２ａ及び第２セクション１５４の第１端部１５４ａに対応する２つの屈曲板１２２，１２４を有する。２つの屈曲板１２２，１２４は、それぞれ位置限定スロット１２２ａ，１２４ａを有する。第１セクション１５２の第１端部１５２ａ及び第２セクション１５４の第１端部１５４ａは、それぞれ、対応する位置限定スロット１２２ａ，１２４ａに嵌め込まれる突出部１５２ｂ，１５４ｂを有する。
【００３３】
特に説明したいのは、第１調整ロッド１４４は、第１ベース１１０に回転可能に穿設されるが、回転時に第１ベース１１０に対して前進したり後退したりすることがなく、さらに、第１調整ロッド１４４は第１ネジ山１４４ａを有し、第１調整ベース１４２は第１ネジ穴１４２ｂを有し、第１調整ベース１４２は第１調整ロッド１４４に外嵌され、第１ネジ山１４４ａは第１ネジ穴１４２ｂに噛み合う。従って、第１調整ロッド１４４が回転すると、第１調整ベース１４２は、第１調整ロッド１４４に対して第２軸線Ｙ１において移動され、即ち、第１ベース１１０に対して移動され、第１ケーブル１５０の第１セクション１５２又は第１ケーブル１５０の第２セクション１５４を動かすようになる。
【００３４】
この配置によれば、第１調整ベース１４２により第１ケーブル１５０の２つのセクションが挟持され、第１調整ロッド１４４により第１調整ベース１４２が駆動されるので、第２オブジェクト２０は、第１オブジェクト１０に対して第１軸線Ｘ１に沿って両方向に回転することができる。従って、調整装置１００は、簡単な構造で第１オブジェクト１０と第２オブジェクト２０との相対的な位置を変更することができる。これにより、調整装置１００は、複雑な構造を配置する必要がなく、故障率を低減することができる。さらに、調整装置１００の構造が簡単であるため、調整装置１００の部件数及びコストを減らすことができる。
【００３５】
上述と同様の概念によれば、調整装置１００により第１オブジェクト１０及び第２オブジェクト２０を第２軸線Ｙ１又は第３軸線Ｚ１に沿って回転させて相対的な位置を変更することができることについて、以下、詳しく説明する。
【００３６】
図１、図２及び図３に示すように、本実施形態において、調整装置１００は、枢転ベース１６０と、第２ケーブル１７０と、第３ケーブル１８０とをさらに備える。また、調整ユニット１４０は、第２調整ベース１４５と、第２調整ロッド１４６と、第３調整ベース１４８と、第３調整ロッド１４９とをさらに備える。枢転ベース１６０は、第２ベース１２０に固着され、枢軸１３０は、枢転ベース１６０と第１ベース１１０が一体に枢接されるように枢転ベース１６０を貫通する。第２ケーブル１７０は、第３セクション１７２と、第４セクション１７４とを有し、第３ケーブル１８０は、第５セクション１８２と第６セクション１８４とを有する。第３セクション１７２及び第４セクション１７４は、それぞれ枢転ベース１６０の対向する両側に固着される第２端部１７２ａ，１７４ａを有し、第５セクション１８２及び第６セクション１８４は、それぞれ、枢転ベース１６０の別の対向する両側に固着される第３端部１８２ａ，１８４ａを有する。
【００３７】
上述したように、第２調整ベース１４５及び第３調整ベース１４８は、第１ベース１１０に配置される。第２調整ベース１４５は、第３セクション１７２及び第４セクション１７４を挟持し、第３調整ベース１４８は、第５セクション１８２及び第６セクション１８４を挟持する。図２に示すように、第３調整ロッド１４９及び第２調整ロッド１４６は、それぞれ、第２軸線Ｙ１に平行し、かつ、第１軸線Ｘ１又は第２軸線Ｙ１に対して直交する第３軸線Ｚ１に沿って順次に配列され、第１調整ロッド１４４及び第３調整ロッド１４９は、第２調整ロッド１４６の両側に位置しているが、これに限らない。第２調整ロッド１４６は、第１ベース１１０及び第２調整ベース１４５を貫通し、第３調整ロッド１４９は、第１ベース１１０及び第３調整ベース１４８を貫通する。さらに、第２オブジェクト２０は、枢転ベース１６０と第２ケーブル１７０と調整ユニット１４０との組み合わせにより、第１オブジェクト１０に対して第２軸線Ｙ１に沿って回転することができる。また、第２オブジェクト２０は、枢転ベース１６０と第３ケーブル１８０と調整ユニット１４０との組み合わせにより、第１オブジェクト１０に対して第３軸線Ｚ１に沿って回転することができる。
【００３８】
図５Ａは、図１の調整装置が第２軸線に沿って回転している模式図である。図５Ｂは、図５Ａの調整装置の正面図である。図５Ｃは、図５Ａの調整装置の線Ｉ１−Ｉ１に沿う断面図である。図５Ａ、図５Ｂ及び図５Ｃに示すように、第２調整ロッド１４６が回転すると、第２ケーブル１７０の第３セクション１７２が引っ張られるとともに、第３セクション１７２の第２端部１７２ａにより、枢転ベース１６０及び第２ベース１２０が第１ベース１１０に対して第２軸線Ｙ１に沿って回転、駆動されるように、第２調整ベース１４５は第１ベース１１０に対して第２軸線Ｙ１に沿って移動される。従って、第２オブジェクト２０（図１参照）は、第１オブジェクト１０（図１参照）に対して第２軸線Ｙ１に沿って１つの方向で回転する。
【００３９】
一方、第２調整ロッド１４６により、第２調整ベース１４５が、第１ベース１１０に対して第２軸線Ｙ１とは反対方向に沿って移動されるように駆動される場合に、第２ケーブル１７０の第４セクション１７４が引っ張られるとともに、第４セクション１７４の第２端部１７４ａにより、枢転ベース１６０及び第２ベース１２０が、第１ベース１１０に対して第２軸線Ｙ１に沿って回転するように駆動されることになる（図示せず）。従って、第２オブジェクト２０は、第１オブジェクト１０に対して第２軸線Ｙ１に沿って他方向で回転する。
【００４０】
図６Ａは、図１の調整装置が第３軸線に沿って回転している模式図である。図６Ｂは、図６Ａの調整装置の右側面図である。図６Ｃは、図６Ａの調整装置の線Ｉ２−Ｉ２に沿う断面図である。図６Ａ、図６Ｂ及び図６Ｃに示すように、第３調整ロッド１４９が回転すると、第３ケーブル１８０の第６セクション１８４が引っ張られるとともに、第６セクション１８４の第３端部１８４ａにより、枢転ベース１６０及び第２ベース１２０が第１ベース１１０に対して第３軸線Ｚ１に沿って回転、駆動されるように、第３調整ベース１４８は第１ベース１１０に対して第２軸線Ｙ１とは反対方向に沿って移動される。従って、第２オブジェクト２０（図１参照）は、第１オブジェクト１０（図１参照）に対して第３軸線Ｚ１に沿って１つの方向で回転する。
【００４１】
一方、第３調整ロッド１４９により、第３調整ベース１４８が、第１ベース１１０に対して第２軸線Ｙ１に沿って移動されるように駆動される場合に、第３ケーブル１８０の第５セクション１８２が引っ張られるとともに、第５セクション１８２の第３端部１８２ａにより、枢転ベース１６０及び第２ベース１２０が、第１ベース１１０に対して第３軸線Ｙ１に沿って回転するように駆動されることになる（図示せず）。従って、第２オブジェクト２０は、第１オブジェクト１０に対して第３軸線Ｚ１に沿って他方向で回転する。
【００４２】
上述した配置関係によれば、第１調整ロッド１４２、第２調整ロッド１４６、及び第３調整ロッド１４９のうちの何れか１つ、２つ、又は全てが回転すると、第２オブジェクト２０を第１オブジェクトに対して何れか１つ、２つ、又は３つの軸線に沿って回転させることができる。これにより、投影機を複数の角度に調整可能であるというユーザのニーズに応じることができる。
【００４３】
図１、図２、図５Ａ及び図６Ａに示すように、本実施形態における第２調整ベース１４５及び第３調整ベース１４８は、それぞれ第２凹部１４５ａ及び第３凹部１４８ａを有し、第２ケーブル１７０は、第３セクション１７２と第４セクションの１７４を接続する第２凸部１７６をさらに有し、第３ケーブル１８０は、第５セクション１８２と第６セクションの１８４を接続する第３凸部１８６をさらに有する。第２凸部１７６及び第３凸部１８６は、それぞれ、第２凹部１４５ａ及び第３凹部１４８ａ内に収容されるが、その詳細は、第１凸部１５６が第１凹部１４２ａに収容されることと同様であるので、繰り返して説明しない。
【００４４】
特に説明したいのは、第２調整ロッド１４６及び第３調整ロッド１４９は、それぞれ、第１ベース１１０に回転可能に穿設されるが、回転時に第１ベース１１０に対して前進したり後退したりすることがない。さらに、第２調整ロッド１４６及び第３調整ロッド１４９は、それぞれ、第２ネジ山１４６ａ及び第３ネジ山１４９ａを有し、第２調整ベース１４５及び第３調整ベース１４８は、対応する第２ネジ穴１４５ｂ及び第３ネジ穴１４８ｂを有する。そのうち、第２ネジ山１４６ａ及び第３ネジ山１４９ａは、それぞれ、第２ネジ穴１４５ｂ及び第３ネジ穴１４８ｂに噛み合う。従って、第２調整ロッド１４６、第３調整ロッド１４９、又はそれらの組み合わせが回転すると、第２調整ベース１４５、第３調整ベース１４８又はそれらの組み合わせは、第１ベース１１０に対して移動され、第２ケーブル１７０、第３ケーブル１８０又はそれらの組み合わせを動かすようになる。
【００４５】
図２、図３、図５Ｃ及び図６Ｃに示すように、本実施形態における第１ベース１１０は、枢転ベース１６０に向かう第１枢接部１１２を有し、枢転ベース１６０は、第１枢接部１１２に対応する第２枢接部１６２を有する。第１枢接部１１２及び第２枢接部１６２は、それぞれ、第１枢接面１１２ａ及び第２枢接面１６２ａを有する。第１枢接面１１２ａは、第２枢接面１６２ａと回転可能となるように接続され、第１枢接面１１２ａの形状と第２枢接面１６２ａの形状は相補的である。
【００４６】
特に、本実施形態における第１枢接面１１２ａと第２枢接面１６２ａは、それぞれ、形状が相補的な半球面である。従って、枢転ベース１６０が第１ベース１１０に対して回転する場合に、第２オブジェクト２０と第１オブジェクト１０との間の回転動作がスムーズになる。これにより、調整装置１００が空転する確率を低減することができる。さらに、第１ベース１１０は金属製で、枢転ベース１６０は弾性を有するプラスチックにより作製されることが望ましい。これにより、枢転ベース１６０が回転時にスムーズに作動することにも有利である。
【００４７】
さらに、本実施形態において、調整装置１００は、枢転ベース１６０との間に第１ベース１１０が挟持されるように枢軸１３０により貫通される押し当て部材１９０をさらに備える。具体的には、押し当て部材１９０は、第１ベース１１０に向かう第３枢接部１９２を有し、第３枢接部１９２は、第３枢接面１９２ａを有する。第１枢接部１１２は、第１枢接面１１２ａに対向する第４枢接面１１２ｂをさらに有する。第３枢接面１９２ａは、第４枢接面１１２ｂと回転可能となるように接続され、第３枢接面１９２ａの形状と第４枢接面１１２ｂの形状は相補的である。この配置によれば、枢転ベース１６０及び押し当て部材１９０が第１ベース１１０に対して第２軸線Ｙ１又は第３軸線Ｚ１に沿って回転すると、第３枢接面１９２ａと第４枢接面１１２ｂとで形成された空間により、第１ベース１１０が、枢転ベース１６０及び押し当て部材１９０に対して回転するように導かれることができる。さらに、本実施形態における第３枢接面１９２ａ及び第４枢接面１１２ｂは、それぞれ半球面である。
【００４８】
なお、押し当て部材１９０の第３枢接部１９２と第１ベース１１０の第１枢接部１１２とは、部分的に接触することになる。これにより、第３枢接面１９２ａと第４枢接面１１２ｂが幅広く接触することが低減され、押し当て部材１９０と第１ベース１１０が相対的に回転する場合に過度な摩擦により作動がスムーズにならないことを回避することができる。
【００４９】
図２、図５Ａ及び図６Ａに示すように、本実施形態における枢転ベース１６０は、枢転ベース１６０の周囲に配置される複数の案内柱１６４を有する。第１ベース１１０は、これらの案内柱１６４に対応する複数の貫通穴１１４を有する。枢転ベース１６０が第１ベース１１０に対して回転すると、案内柱１６４は、対応する貫通穴１１４内に摺動される。この配置により、枢転ベース１６０が第１ベース１１０に対して回転するように導かれる。さらに、各案内柱１６４は、第１軸線Ｘ１に平行するので、枢転ベース１６０は、第２ベース１２０が第１ベース１１０に対して回転する場合に、第１軸線Ｘ１に沿って回転するように制限されることができる。この配置によれば、枢転ベース１６０の回転の遅れにより、ユーザに空転のような手応えをもたせることを回避することができる。
【００５０】
さらに、各案内柱１６４は、溝切り１６４ａを有する。各案内柱１６４は、対応する貫通穴１１４内に摺動されると、溝切り１６４ａにより一部変形されて、対応する貫通穴１１４内に押し当てられることができる。これにより、枢転ベース１６０が回転時にスムーズに作動することにも有利である。
【００５１】
上述したように、本考案に係る調整装置は、第１調整ベースにより第１ケーブルにおける一部のセクションを駆動することで、第２ベースを第１ベースに対して第１軸線に沿って回転させるので、第２オブジェクトと第１オブジェクトとの相対的な位置が変更される。このため、調整装置は、簡単な構造で、第１オブジェクトと第２オブジェクトとの相対的な位置を変更し、第２オブジェクトを第１軸線において両方向に回転可能にすることができる。これにより、調整装置は、複雑な構造を配置する必要がなく、調整装置の故障率を低減することができる。さらに、調整装置の構造が簡単であるので、調整装置の部件数及びコストを減らすことができる。さらに、調整装置は、枢転ベースと、複数の調整ロッドと、複数の調整ベースと、複数のケーブルとを備えることで、第２オブジェクトは、第１オブジェクトに対して複数の軸線に沿って両方向に回転することができる。なお、各ケーブルが凸部を有し、その対応する調整ベースが凹部を有することで、ケーブルと対応する調整ベースとの組み立てがしやすくなり、ケーブルが抜けてしまうリスクを低下させることができる。これにより、調整装置の信頼性を確保することが可能となる。さらに、第１ベースの第１枢接面及び枢転ベースの第２枢接面が半球面である場合に、枢転ベースの回転時における作動のスムーズ性を向上させることができる。
【００５２】
以上、本考案は、実施形態により開示されたが、その実施形態は、本考案を限定するものではなく、本考案の属する技術分野における通常の知識を有する者は、本考案の精神を逸脱しない範囲で、いくつかの変更や修飾を加えることができるので、本考案の保護範囲は、後に添付した実用新案登録請求の範囲に定義されているものに準ずるべきである。
【図１】
0003196054.tif 000003
【図２】
0003196054.tif 000004
【図３】
0003196054.tif 000005
【図４Ａ】
0003196054.tif 000006
【図４Ｂ】
0003196054.tif 000007
【図５Ａ】
0003196054.tif 000008
【図５Ｂ】
0003196054.tif 000009
【図５Ｃ】
0003196054.tif 000010
【図６Ａ】
0003196054.tif 000011
【図６Ｂ】
0003196054.tif 000012
【図６Ｃ】
0003196054.tif 000013